(57)【要約】      （修正有）【課題】複数の発熱源であるインクヘッドならびに制御基板に対する冷却効果を損なうことなく、インクヘッドならびに制御基板を搭載するキャリッジの重量および体積を低減することができるとともに、消費電力も低減することができるようにする。【解決手段】キャリッジ２６にインクヘッド３０ならびに制御基板６４を搭載し、インクヘッドのインクジェットノズルから、インクヘッドに対して相対的に移動するメディア２８に対してインクを吐出するインクジェットプリンタにおいて、キャリッジに搭載されたインクヘッドならびに制御基板を被覆するカバー体３２を用いてダクト構造８４を形成し、ダクト構造の下部に下部開口部７４を形成し、ダクト構造の上部に上部開口部７０を形成し、下部開口部の位置に、下部開口部の外部からダクト構造の内部方向に気流を発生させる冷却ファン７６を配設した。【選択図】図２
2019000998.tif 000002
【特許請求の範囲】
【請求項１】
キャリッジにインクヘッドならびに制御基板を搭載し、前記インクヘッドのインクジェットノズルから、前記インクヘッドに対して相対的に移動するメディアへインクを吐出するインクジェットプリンタにおいて、
キャリッジに搭載されたインクヘッドならびに制御基板を被覆するカバー体を用いてダクト構造を形成し、
前記ダクト構造の下部に下部開口部を形成し、
前記ダクト構造の上部に上部開口部を形成し、
前記下部開口部の位置に、前記下部開口部の外部から前記ダクト構造の内部方向に気流を発生させる冷却ファンを配設した
ことを特徴とするインクジェットプリンタ。
【請求項２】
請求項１に記載のインクジェットプリンタにおいて、
前記ダクト構造は、前記カバー体と前記キャリッジとを組み合わせて形成された
ことを特徴とするインクジェットプリンタ。
【請求項３】
請求項１に記載のインクジェットプリンタにおいて、
前記ダクト構造は、前記カバー体により前記キャリッジも被覆するようにして、前記カバー体のみにより形成された
ことを特徴とするインクジェットプリンタ。
【請求項４】
請求項１、２または３のいずれか１項に記載のインクジェットプリンタにおいて、
前記インクヘッドは、前記ダクト構造内の下方側に配置され、
前記制御基板は、前記ダクト構造内の上方側に配置された
ことを特徴とするインクジェットプリンタ。
【請求項５】
請求項１、２、３または４のいずれか１項に記載のインクジェットプリンタにおいて、
前記下部開口部は、前記インクヘッドに隣接して配置され、
前記上部開口部は、前記制御基板に隣接して配置された
ことを特徴とするインクジェットプリンタ。
【請求項６】
請求項１、２、３、４または５のいずれか１項に記載のインクジェットプリンタにおいて、
前記冷却ファンは、前記インクヘッドに前記冷却ファンにより発生された気流が直接当たる位置に配設された
ことを特徴とするインクジェットプリンタ。
【請求項７】
請求項１、２、３、４、５または６のいずれか１項に記載のインクジェットプリンタにおいて、
前記インクヘッドのインクジェットノズルが設けられたインクジェットノズル面は、前記ダクト構造の外側に配置された
ことを特徴とするインクジェットプリンタ。
【発明の詳細な説明】
【技術分野】
【０００１】
本発明は、インクジェットプリンタに関し、さらに詳細には、インクヘッドからインクジェット方式によりインクを吐出するインクジェットプリンタに関する。
【０００２】
なお、本明細書および本特許請求の範囲において「メディア」には、普通紙などの紙類よりなる各種の記録媒体は勿論のこと、ＰＶＣやポリエステルなどの樹脂材料、織物、布、アルミ、鉄あるいは木材などのような各種材料などからなる種々の媒体が含まれるものとする。
【０００３】
また、本明細書および本特許請求の範囲において「インクジェット方式」は、二値偏向方式あるいは連続偏向方式などの各種の連続方式や、サーマル方式あるいは圧電素子方式などの各種のオンデマンド方式を含む、従来より公知の各種の手法によるインクジェット技術を用いた印刷方法を意味するものとする。
【背景技術】
【０００４】
従来より、マイクロコンピューターによって全体の動作を制御され、メディアたる記録紙と対向する面にインクジェット方式によりインクを吐出するインクジェットノズルを備えたインクヘッドに液体状のインクを供給し、供給されたインクをインクジェットノズルから記録紙に対して吐出して、当該記録紙上に印刷を行うようにしたインクジェットプリンタが知られている。
【０００５】
こうしたインクジェットプリンタにおいては、記録紙の搬送方向（副走査方向）と直交する方向（主走査方向）に往復移動するキャリッジに、インクヘッドや当該インクヘッドの動作を制御するための回路を組み込んだ制御基板（プリント基板）が搭載されている。
【０００６】
また、インクヘッドや制御基板は発熱源であるので、それらを冷却する必要がある。このため、キャリッジには、発熱源であるインクヘッドと制御基板とをそれぞれ冷却するための冷却手段として、インクヘッドを冷却するための専用の冷却ファンと制御基板を冷却するための専用の冷却ファンとがそれぞれ搭載されている。
【０００７】
即ち、上記したインクジェットプリンタにおいては、複数の発熱源であるインクヘッドと制御基板とのそれぞれについて、各発熱源をそれぞれ冷却するための冷却ファンがそれぞれキャリッジに搭載されていたため、キャリッジ全体の重量および体積が増加するとともに、消費電力も増加するという問題点があった。
【０００８】
なお、本願出願人が特許出願のときに知っている先行技術は、文献公知発明に係る発明ではないため、本願明細書に記載すべき先行技術文献情報はない。
【発明の概要】
【発明が解決しようとする課題】
【０００９】
本発明は、従来の技術における上記したような問題点に鑑みてなされたものであり、その目的とするところは、複数の発熱源であるインクヘッドならびに制御基板に対する冷却効果を損なうことなく、インクヘッドならびに制御基板を搭載するキャリッジの重量および体積を低減することができるとともに、消費電力も低減することができるようにしたインクジェットプリンタを提供しようとするものである。
【課題を解決するための手段】
【００１０】
上記目的を達成するために、本発明は、キャリッジに搭載されたインクヘッドならびに制御基板を被覆するカバー体を用いてダクト構造を形成し、このダクト構造の下部と上部とに開口部を形成するとともに、ダクト構造の下部に形成した開口部の位置に当該開口部の外部から当該ダクト構造の内部方向に気流を発生させる冷却ファンを配設するようにしたものである。
【００１１】
つまり、本発明は、ダクト構造を用いて、キャリッジに搭載された複数の発熱源であるインクヘッドならびに制御基板に対して当該ダクト構造内に発生する気流を当てて、当該複数の発熱源であるインクヘッドならびに制御基板を冷却する冷却システムを提供するものである。
【００１２】
本発明によれば、冷却ファンによりダクト構造の内部方向に発生された気流は、複数の発熱源であるインクヘッドならびに制御基板により暖められ、煙突効果によりダクト構造の下部の開口部から外部の冷たい空気をダクト構造の内部に引き入れながら暖かい空気は上昇して上昇気流を発生し、上昇気流となった暖かい空気はダクト構造の上部の開口部から外部に排気される。発熱源であるインクヘッドならびに制御基板は、ダクト構造の内部に発生した気流（上昇気流）が当たることにより、インクヘッドならびに制御基板の熱が当該気流（上昇気流）に熱伝達して冷却される。
【００１３】
このため、本発明によれば、制御基板を冷却するための冷却ファンが不要となるので、キャリッジに搭載する冷却ファンの数を従来より削減しながらも、複数の発熱源であるインクヘッドならびに制御基板に対する冷却効果を損なうことがない。本発明によれば、キャリッジに搭載する冷却ファンの数を従来より削減することが可能となるので、インクヘッドならびに制御基板を搭載するキャリッジの重量および体積を低減することができるとともに、消費電力も低減することができるようになる。
【００１４】
即ち、本発明は、キャリッジにインクヘッドならびに制御基板を搭載し、上記インクヘッドのインクジェットノズルから、上記インクヘッドに対して相対的に移動するメディアへインクを吐出するインクジェットプリンタにおいて、キャリッジに搭載されたインクヘッドならびに制御基板を被覆するカバー体を用いてダクト構造を形成し、上記ダクト構造の下部に下部開口部を形成し、上記ダクト構造の上部に上部開口部を形成し、上記下部開口部の位置に、上記下部開口部の外部から上記ダクト構造の内部方向に気流を発生させる冷却ファンを配設したものである。
【００１５】
また、本発明は、上記した本発明において、上記ダクト構造は、上記カバー体と上記キャリッジとを組み合わせて形成されたものである。
【００１６】
また、本発明は、上記した本発明において、上記ダクト構造は、上記カバー体により上記キャリッジも被覆するようにして、上記カバー体のみにより形成されたものである。
【００１７】
また、本発明は、上記した本発明において、上記インクヘッドは、上記ダクト構造内の下方側に配置され、上記制御基板は、上記ダクト構造内の上方側に配置されたものである。
【００１８】
また、本発明は、上記した本発明において、上記下部開口部は、上記インクヘッドに隣接して配置され、上記上部開口部は、上記制御基板に隣接して配置されたものである。
【００１９】
また、本発明は、上記した本発明において、上記冷却ファンは、上記インクヘッドに上記冷却ファンにより発生された気流が直接当たる位置に配設されたものである。
【００２０】
また、本発明は、上記した本発明において、上記インクヘッドのインクジェットノズルが設けられたインクジェットノズル面は、上記ダクト構造の外側に配置されたものである。
【発明の効果】
【００２１】
本発明は、以上説明したように構成されているので、複数の発熱源であるインクヘッドならびに制御基板に対する冷却効果を損なうことなく、インクヘッドならびに制御基板を搭載するキャリッジの重量および体積を低減することができるとともに、消費電力も低減することができるようになるという優れた効果を奏するものである。
【図面の簡単な説明】
【００２２】
【図１】図１は、本発明によるインクジェットプリンタの実施の形態の一例を模式的に示す斜視構成説明図である。
【図２】図２は、図１に示すインクジェットプリンタのＩＩ−ＩＩ線による断面における要部概略構造を模式的に示す断面構成説明図である。
【図３】図３（ａ）（ｂ）は、カバー体の概略構造を模式的に示す斜視説明図である。図３（ａ）は、図１における前方側から視認した場合の形状を模式的に示す斜視説明図（正面斜視説明図）である。図３（ｂ）は、図１における後方側から視認した場合の形状を模式的に示す斜視説明図（背面斜視説明図）である。
【発明を実施するための形態】
【００２３】
以下、添付の図面を参照しながら、本発明によるインクジェットプリンタの実施の形態の一例を詳細に説明するものとする。
【００２４】
図１には本発明によるインクジェットプリンタの実施の形態の一例を模式的に示す斜視構成説明図があらわされており、図２には図１に示すインクジェットプリンタのＩＩ−ＩＩ線による断面における要部概略構造を模式的に示す断面構成説明図があらわされており、図３（ａ）（ｂ）にはカバー体の概略構造を模式的に示す斜視説明図があわされている。
【００２５】
本発明によるインクジェットプリンタ１０は、メディアとして記録紙２８を用いるものとする。
【００２６】
インクジェットプリンタ１０は、基台部材１２に支持され、記録紙２８の幅方向たる主走査方向に延長して配設された固定系のベース部材１４を備えている。ベース部材１４上には、上面に記録紙２８を配置するプラテン１５が設けられている。
【００２７】
ベース部材１４の左右両端には側方部材１６Ｌ、１６Ｒが配設され、側方部材１６Ｒ側には側方ユニット１８が配設されている。
【００２８】
インクジェットプリンタ１０は、左右２つの側方部材１６Ｌ、１６Ｒを連結する中央壁２０を備え、中央壁２０の壁面には主走査方向に延長してガイドレール２２が配設されている。
【００２９】
符号２４は、中央壁２０の壁面に平行して主走査方向に移動自在に配設されたワイヤーである。キャリッジ２６は、ワイヤー２４に固定的に配設されるとともにガイドレール２２に摺動自在に装着されている。
【００３０】
キャリッジ２６は、ガイドレール２２に摺動自在に装着されるとともに高さ方向に延設された立設部２６ａと、立設部２６ａの上端部において水平方向に延設された制御基板支持部２６ｂと、立設部２６ａの下端部において水平方向に延設されたインクヘッド支持部２６ｃとにより構成されている。
【００３１】
キャリッジ２６のインクヘッド支持部２６ｃには、プラテン１５上に位置するメディアたる記録紙２８と対向するようにしてインクヘッド３０を配設するための孔部２６ｃｃが形成されている。インクヘッド３０の下面に位置するインクジェットノズル面３０ａがインクヘッド支持部２６ｃから記録紙２８側へ突出するようにして、孔部２６ｃｃ内にインクヘッド３０を配設する。インクヘッド３０の下面に位置するインクジェットノズル面３０ａには、インクジェット方式によりインクを吐出するインクジェットノズルが設けられている。なお、符号３１は、インクカートリッジ（図示せず。）に貯留されたインクをインクヘッド３０へ供給するためのインクチューブである。
【００３２】
キャリッジ２６に搭載されたインクヘッド３０は、記録紙２８と対向するインクジェットノズル面３０ａを除いて、カバー体３２とキャリッジ２６との組み合わせによって覆われている。
【００３３】
なお、こうしたインクジェットプリンタ１０の全体の動作は、側方ユニット１８内に配設されたマイクロコンピューター３４によって制御されている。
【００３４】
また、インクジェットプリンタ１０においては、上記したようにメディアとして記録紙２８を用いるものとする。この記録紙２８は、給紙装置によってプラテン１５上に供給され、幅方向たる主走査方向において所定の長さを有するとともに、主走査方向と直交する副走査方向、即ち、記録紙２８の長手方向に搬送される。記録紙２８の搬送方向と副走査方向とは同一の方向である。
【００３５】
記録紙２８を搬送する給紙装置の構成としては、従来より公知の構成を用いることができる。本実施の形態においては、図２に示すように、モーターの作動により回転するグリッドローラー６０と回動自在なピンチローラー６２との間に記録紙２８を狭持し、グリッドローラー６０を矢印Ａ方向に回転することにより記録紙２８を副走査方向の前方側に搬送する。
【００３６】
そして、このインクジェットプリンタ１０においては、マイクロコンピューター３４の制御に従って記録紙２８上に印刷が行われる。
【００３７】
即ち、マイクロコンピューター１０の制御に従って、ワイヤー２４の巻き取りによりワイヤー２４が移動すると、このワイヤー２４の移動に伴って、キャリッジ２６が主走査方向における行き方向（往路）および帰り方向（復路）に往復移動する。これにより、キャリッジ２６に搭載されたインクヘッド３０が、プラテン１５上に搬送された記録紙２８上を主走査方向における行き方向（往路）および帰り方向（復路）に一体的に往復移動し、記録紙２８上に印刷が行われる。
【００３８】
インクジェットプリンタ１０においては、ベース部材１４に廃液タンク４２が配設されており、側方ユニット１８に着脱可能に配設されるインクカートリッジ(図示せず。）から廃液タンクインク４２へ至るインク経路が形成されている。
【００３９】
インクジェットプリンタ１０には、インクヘッド３０のインクジェットノズル面３０ａに設けられたインクジェットノズルに対してキャッピングするキャップ装置３８が設けられている。
【００４０】
なお、符号４０は、作業者がインクジェットプリンタ１０の動作を制御するための操作子を備えた操作パネルである。操作パネル４０には、インクジェットプリンタ１０の動作状態を表示するための表示部４０ａや各種の操作子が設けられている。
【００４１】
キャリッジ２６の制御基板支持部２６ｂ上には、インクヘッド３０の動作を制御するための回路を組み込んだ制御基板（プリント基板）６４が搭載されている。制御基板６４は、ボルト６６により制御基板支持部２６ｂ上に固定されている。符号６８は、制御基板６４とインクヘッド３０とを接続するケーブルである。また、符号６９は、制御基板６４とマイクロコンピューター３４とを接続するケーブルである。
【００４２】
カバー体３２は、インクヘッド３０および制御基板６４を被覆する外装部材である。カバー体３２は、インクヘッド３０ならびに制御基板６４の上方側において制御基板支持部２６ｂと平行に配置された天板部３２ａと、天板部３２ａにおける搬送方向前方側端部から搬送方向前方側下方へ傾斜した傾斜部３２ｂと、傾斜部３２ｂの下方側端部から下方側に延設された前方部３２ｃと、天板部３２ａと傾斜部３２ｂと前方部３２ｃとキャリッジ２６とにより形成された空間を主走査方向における両端部で遮蔽する側壁部３２ｄとを有して構成されている。
【００４３】
カバー体３２においては、天板部３２ａにおける搬送方向後方側の端部３２ａａ、側壁部３２ｄの搬送方向後方側の上端部３２ｄｄおよび制御基板６４の搬送方向後方側の上面部６４ａａにより、制御基板６４ならびにインクヘッド３０の上方側に位置する上部開口部（排気口）７０が形成されている。上部開口部（排気口）７０は、制御基板６４に隣接して配置されることになる。
【００４４】
また、カバー体３２においては、前方部３２ｃにおけるインクヘッド３０と対向する下方部位の領域が切り欠かれており、下部開口部（吸気口）７４が形成されている。下部開口部（排気口）７４は、インクヘッド３０に隣接して配置されることになる。下部開口部７４には、カバー体３２の外部から空気を吸気してインクヘッド３０に向けて冷却風の気流（空気流）を発生して、インクヘッド３０の冷却を図る冷却ファン７６が配設されている。
【００４５】
インクジェットプリンタ１０においては、キャリッジ２６とカバー体３２とを組み合わせることによってインクヘッド３０および制御基板６４を囲む領域が形成され、この領域により下部開口部（吸気口）７４から上部開口部（排気口）７０に至る断面略Ｌ字形状のダクト構造８４が形成される。
【００４６】
即ち、ダクト構造８４は、副走査方向の前方側かつ高さ方向の下方側であるダクト構造８４の下部に下部開口部（吸気口）７４を有するとともに、副走査方向の後方側かつ高さ方向の上方側であるダクト構造８４の上部に上部開口部（排気口）７０を有し、かつ、下部開口部（吸気口）７４においてダクト構造８４の外部から内部方向に向けて気流を発生させる向きに配設された冷却ファン７６を有している。
【００４７】
以上の構成において、インクジェットプリンタ１０においては、マイクロコンピューター３４の制御により、インクカートリッジからインクヘッド３０へインクを供給し、インクヘッド３０はインクヘッドジェットノズルから記録紙２８に対してインクを吐出して、記憶紙２８への印刷を行う。
【００４８】
インクジェットプリンタ１０においては、インクヘッド３０におけるインクの吐出動作に伴い、制御基板６４ならびにインクヘッド３０が発熱する。このため、インクヘッド３０がインクの吐出動作を行う際には、マイクロコンピューター３４の制御により冷却ファン７６を作動する。
【００４９】
冷却ファン７６の作動により、ダクト構造８４内部の温められた空気は効率よく上部開口部（排気口）７０から外部に排出される。
【００５０】
より詳細には、冷却ファン７６は、下部開口部７４からダクト構造８４内に空気を吸気して、直接的にインクヘッド３０に向けて冷却風の空気流を発生して送風する。冷却ファン７６の送風による冷却風の空気流がインクヘッド３０に直接当たるので、インクヘッド３０を効率よく冷却することができる。
【００５１】
インクヘッド３０が効率よく冷却されることにより、インクヘッド３０の温度上昇が抑止される。
【００５２】
ここで、インクヘッド３０の発熱が許容値を超えると、インクヘッド３０が壊れることがある。発熱量は、インクヘッド３０の駆動電圧や吐出周波数等のようなインク吐出時のパラメータによって変化する。インクヘッド３０が壊れないようにするために、これらのパラメータを変化させる手段も考慮されるが、吐出可能なインクが限られたり、スループットが下げるデメリットが指摘されていた。
【００５３】
上記したインクジェットプリンタ１０においては、インクヘッド３０の冷却効果を向上することにより、上記したパラメータを変化させることなく、インクヘッド３０の発熱が許容値を超えることがないようにすることが可能となるので、上記デメリットが発生することはない。
【００５４】
また、インクジェットプリンタ１０においては、インクヘッド３０の冷却効率を向上することができるので、制御基板６４を冷却するための冷却ファンは不要となり、これにより装置全体の小型化、軽量化、低コスト化を図ることが可能となる。
【００５５】
上記したように、冷却ファン７６によりダクト構造８４の外部の空気が直接的に発熱源であるインクヘッド３０に当たることで当該インクヘッド３０が冷却されるが、発熱源であるインクヘッド３０によって暖められた空気は、煙突効果によって上昇気流となる。この上昇気流の向きは、冷却ファン７６の作動によりダクト構造８４内部に発生している気流の向きと同じであるため、気流によるダクト構造８４内における放熱効率が向上する。
【００５６】
そして、ダクト構造８４の内部に発生する気流は、発熱源である制御基板６４全体に流れることになり、これにより制御基板６４が冷却される。このため、従来の冷却ファンよりも小型の冷却ファンを用いることが可能となり、上記した従来の技術の問題点を解決することが可能となる。
【００５７】
また、インクジェットプリンタ１０においては、冷却ファン７６の作動によりダクト構造８４内に空気流が発生しても、インクヘッド３０のインクジェットノズル面３０ａはダクト構造８４の外側に配置されているので、インクジェットノズルから吐出されるインクが冷却ファン７６の送風による影響を受けることはない。
【００５８】
以上において説明したように、本発明によるインクジェットプリンタ１０においては、インクヘッド３０および制御基板６４をカバー体３２およびキャリッジ２６を組み合わせることにより被覆してダクト構造８４を形成し、ダクト構造８４内におけるインクヘッド３０へ冷却風が直接当たる位置に冷却ファン７６を配設するようにした。これにより、インクヘッド３０の冷却効率を向上することができるとともにシステムの省力化、小型化を図ることができるようになる。
【００５９】
また、従来の技術においては発熱源であるインクヘッド３０と制御基板６４とにそれぞれ専用の冷却ファンが必要であったのに対し、本発明によるインクジェットプリンタ１０においては、ダクト構造８４内の気流を制御することで、制御基板６４専用の冷却ファンを設けることなく制御基板６４を冷却することができる。
【００６０】
また、本発明によるインクジェットプリンタ１０においては、インクヘッド３０からのインクの吐出に伴い発生するインクミストを、上昇気流で上方に向けて逃がすことができるため、インクミストによる記録紙２８の汚損を防止することができる。
【００６１】
なお、上記した実施の形態は例示に過ぎないものであり、本発明は他の種々の形態で実施することができる。即ち、本発明は、上記した実施の形態に限定されるものではなく、本発明の要旨を逸脱しない範囲で種々の省略、置き換え、変更を行うことができる。
【００６２】
例えば、上記した実施の形態は、以下の（１）乃至（７）に示すように変形するようにしてもよい。
【００６３】
（１）上記した実施の形態においては、インクジェットプリンタ１０に配設されるインクヘッド３０の数については詳細な説明を省略したが、インクジェットプリンタ１０に配設されるインクヘッド３０は単数でも複数でもよいことは勿論である。
【００６４】
（２）上記した実施の形態においては、下部開口部（吸気口）７４に配設される冷却ファン７６の数については詳細な説明を省略したが、インクジェットプリンタ１０に配設されるインクヘッド３０の数に応じて、適宜の数の冷却ファン７６を配設してよいことは勿論である。
【００６５】
（３）上記した実施の形態においては、カバー体３２とキャリッジ２６とを組み合わせてダクト構造８４を形成するようにしたが、これに限られるものではないことは勿論である。例えば、カバー体によりキャリッジも被覆するようにして、カバー体のみによりインクヘッドおよび制御基板とともにキャリッジも被覆するダクト構造を形成するようにしてもよい。
【００６６】
（４）上記した実施の形態においては、記録紙２８に対して相対的に移動するインクヘッド３０の移動領域全域を覆うカバーについての説明は省略したが、こうしたカバーを設けて、インクヘッド３０からのインクの吐出により発生するインクミストの外部への飛散を防止するようにしてもよい。
【００６７】
（５）上記した実施の形態においては、キャリッジ２６を主走査方向に移動するとともに、記録紙２８を副走査方向に搬送することにより、インクヘッド３０と記録紙２８との位置関係を相対的に変化して印刷位置を変化させたが、これに限られるものではないことは勿論である。例えば、キャリッジ２６のみを移動することにより、インクヘッド３０と記録紙２８との位置関係を相対的に変化してもよい。あるいは、記録紙２８のみを移動することにより、インクヘッド３０と記録紙２８との位置関係を相対的に変化してもよい。あるいは、キャリッジ２６と記録紙２８との双方を適宜の方向に移動することにより、インクヘッド３０と記録紙２８との位置関係を相対的に変化してもよい。
【００６８】
（６）上記した実施の形態においては、インクヘッド３０がインクの吐出動作を行う際に冷却ファン７６を作動させるようにしたが、これに限られるものではないことは勿論である。冷却ファン７６の動作は、必ずしもインクヘッド３０のインクの吐出動作に合わせたものでなくてもよい。例えば、インクヘッド３０や制御基板６４の発熱量に合わせて、インクヘッド３０によるインクの吐出の前後に適宜に動作させてもよい。
【００６９】
（７）上記した実施の形態においては、上記した実施の形態ならびに上記した（１）乃至（６）に示す変形例を適宜に組み合わせるようにしてもよいことは勿論である。
【産業上の利用可能性】
【００７０】
本発明は、インクヘッドからインクジェット方式によりインクを吐出して印刷を行うインクジェットプリンタに用いて好適である。
【符号の説明】
【００７１】
１０  インクジェットプリンタ、１４  ベース部材、１５  プラテン、２２  ガイドレール、２６  キャリッジ、２６ａ  立設部、２６ｂ  制御基板支持部、２６ｃ  インクヘッド支持部、２６ｃｃ  孔部、２８  記録紙（メディア）、３０  インクヘッド、３０ａ  インクジェットノズル面、３１  インクチューブ、３２  カバー体、３２ａ  天板部、３２ａａ  端部、３２ｂ  傾斜部、３２ｃ  前方部、３２ｄ  側壁部、３２ｄｄ  上端部、３４  マイクロコンピューター、３８  キャップ装置、４０  操作パネル、４０ａ  表示部、４２  廃液タンク、６０  グリッドローラー、６２  ピンチローラー、６４  制御基板（プリント基板）、６４ａａ  上面部、６６  ボルト、６８  ケーブル、６９  ケーブル、７０  上部開口部（排気口）、７４  下部開口部（吸気口）、７６  冷却ファン、８４  ダクト構造
【図１】
2019000998.tif 000003
【図２】
2019000998.tif 000004
【図３】
2019000998.tif 000005